(57)【要約】  使い勝手の向上を図る。  耳介の両面にそれぞれ押し当てられる第１の押当部と第２の押当部を有し耳介を挟んだ状態で耳に装着される装着部を備え、装着部が一対設けられ、一対の装着部が組み合わせ可能にされた。これにより、不使用時等に一対の装着部を組み合わせた状態にすることが可能になり、コード同士又はコードと装着部の絡まりを防止して使い勝手の向上を図ることができる。
2018139088.tif 000002
【特許請求の範囲】
【請求項１】
耳介の両面にそれぞれ押し当てられる第１の押当部と第２の押当部を有し前記耳介を挟んだ状態で耳に装着される装着部を備え、
前記装着部が一対設けられ、
前記一対の装着部が組み合わせ可能にされた
音響出力装置。
【請求項２】
前記装着部は長手方向が周方向になるように屈曲された形状に形成され、
前記長手方向における両端間に隙間が形成され、
前記装着部は前記長手方向における両端部が互いに離接する方向へ弾性変形可能にされた
請求項１に記載の音響出力装置。
【請求項３】
前記装着部の前記両端部にそれぞれ前記第１の押当部と前記第２の押当部が設けられた
請求項２に記載の音響出力装置。
【請求項４】
前記装着部における前記両端部以外の部分が中間部として設けられ、
前記長手方向における一端間の距離が前記中間部の内周における２点を結ぶ距離のうちの最大の距離より小さくされた
請求項２に記載の音響出力装置。
【請求項５】
前記第１の押当部と前記第２の押当部の表面が外方に凸の曲面に形成された
請求項１に記載の音響出力装置。
【請求項６】
前記装着部における前記両端部以外の部分が中間部として設けられ、
前記長手方向における一端部の最大の太さと前記長手方向における他端部の最大の太さとが前記中間部の最大の太さより太くされた
請求項２に記載の音響出力装置。
【請求項７】
前記装着部は複数の部材が結合されて構成され、
前記装着部は外面にカバーが密着された状態で覆われた
請求項１に記載の音響出力装置。
【請求項８】
前記装着部の外面が曲面に形成された
請求項１に記載の音響出力装置。
【発明の詳細な説明】
【技術分野】
【０００１】
本技術は耳に装着されて使用される音響出力装置についての技術分野に関する。
【背景技術】
【０００２】
耳に装着されてヘッドホンやイヤホンとして使用されスピーカーから音声の出力が行われる音響出力装置がある。【０００３】
音響出力装置は、近年、室内で使用される態様の他に、室外で使用される態様も増加している。従って、音響出力装置においては、良好な音声の出力が確保される他に、携帯性の向上等の利便性が確保されることも望ましい。【０００４】
上記のような音響出力装置においては、不使用時には耳から取り外された状態において、バッグやポケット等に収容されて携帯されることが多く、近年、小型のタイプが開発されている（例えば、特許文献１参照）。【０００５】
特許文献１に記載された音響出力装置にあっては、筐体が挿入部と伝達部材によって構成され、伝達部材の内部に音声出力用のドライバーとして電気音響変換素子と振動体が配置され、挿入部の内外において移動可能な栓が設けられている。挿入部には外部の音声の聞き取りを可能とする貫通孔が形成されている。【０００６】
この音響出力装置は、挿入部の一部が外耳道に挿入され、伝達部材が挿入部の前側において耳珠及び対耳珠に接した状態で耳に装着される。電気音響変換素子に生じる振動は振動体から伝達部材に伝達され、伝達された振動が耳骨から頭蓋骨等を介して脳に伝達されて音声の認識が行われる。外部の音声は栓と鼓膜の間の空間にまで振動して使用者に伝達され、このとき栓を移動させることにより外部の音声の聞こえ方を変化させることが可能とされている。
【先行技術文献】
【特許文献】
【０００７】
【特許文献１】特開２０１４−９６７３９号公報
【発明の概要】
【発明が解決しようとする課題】
【０００８】
ところで、上記のような音響出力装置には、コードを介して音声信号等の電気的信号が入出力されるものも多いが、このようなコードが接続されたタイプの音響出力装置において、携帯時に耳に装着される部分とコードが絡み合ってしまうと、耳への迅速な装着ができなくなる等、使い勝手が低下するおそれがある。【０００９】
そこで、本技術音響出力装置は、上記した問題点を克服し、使い勝手の向上を図ることを目的とする。
【課題を解決するための手段】
【００１０】
第１に、本技術に係る音響出力装置は、耳介の両面にそれぞれ押し当てられる第１の押当部と第２の押当部を有し前記耳介を挟んだ状態で耳に装着される装着部を備え、前記装着部が一対設けられ、前記一対の装着部が組み合わせ可能にされたものである。【００１１】
これにより、不使用時等に一対の装着部を組み合わせた状態にすることが可能になる。【００１２】
第２に、上記した音響出力装置においては、前記装着部は長手方向が周方向になるように屈曲された形状に形成され、前記長手方向における両端間に隙間が形成され、前記装着部は前記長手方向における両端部が互いに離接する方向へ弾性変形可能にされることが望ましい。【００１３】
これにより、耳に対する装着時及び取外時に装着部が弾性変形される。【００１４】
第３に、上記した音響出力装置においては、前記装着部の前記両端部にそれぞれ前記第１の押当部と前記第２の押当部が設けられることが望ましい。【００１５】
これにより、装着部の両端部がそれぞれ耳介の両面に押し当てられる。【００１６】
第４に、上記した音響出力装置においては、前記装着部における前記両端部以外の部分が中間部として設けられ、前記長手方向における一端間の距離が前記中間部の内周における２点を結ぶ距離のうちの最大の距離より小さくされることが望ましい。【００１７】
これにより、音響出力装置が耳に装着された状態において中間部が耳介に接触し難い。【００１８】
第５に、上記した音響出力装置においては、前記第１の押当部と前記第２の押当部の表面が外方に凸の曲面に形成されることが望ましい。【００１９】
これにより、耳介に音響出力装置から過度の負荷が付与されない。【００２０】
第６に、上記した音響出力装置においては、前記装着部における前記両端部以外の部分が中間部として設けられ、前記長手方向における一端部の最大の太さと前記長手方向における他端部の最大の太さとが前記中間部の最大の太さより太くされることが望ましい。【００２１】
これにより、装着部を組み合わせた状態において両端部を中間部の内側に挿入した状態で位置させることが可能になる。【００２２】
第７に、上記した音響出力装置においては、前記装着部は複数の部材が結合されて構成され、前記装着部は外面にカバーが密着された状態で覆われることが望ましい。【００２３】
これにより、装着部が外側からカバーに覆われるため、複数の部材の間に隙間が生じていても隙間がカバーによって閉塞される。【００２４】
第８に、上記した音響出力装置においては、前記装着部の外面が曲面に形成されることが望ましい。【００２５】
これにより、音響出力装置は曲面が押し当てられた状態で耳に装着される。
【発明の効果】
【００２６】
本技術によれば、不使用時等に一対の装着部を組み合わせた状態にすることが可能になり、コード同士又はコードと装着部の絡まりを防止して使い勝手の向上を図ることができる。【００２７】
尚、本明細書に記載された効果はあくまでも例示であって限定されるものではなく、他の効果があってもよい。
【図面の簡単な説明】
【００２８】
【図１】図２乃至図１２と共に本技術音響出力装置の実施の形態を示すものであり、本図は、音響出力装置が装着される耳の斜視図である。
【図２】図１のＩＩ−ＩＩ線に沿う断面図である。
【図３】音響出力装置の斜視図である。
【図４】音響出力装置の分解斜視図である。
【図５】音響出力装置を図４とは異なる方向から見た状態で示す分解斜視図である。
【図６】音響出力装置の断面図である。
【図７】音響出力装置が耳に装着された状態を示す斜視図である。
【図８】音響出力装置が耳に装着された状態を図７とは異なる角度から見た状態で示す斜視図である。
【図９】音響出力装置が弾性変形される前の状態を示す側面図である。
【図１０】音響出力装置が装着された状態を示す側面図である。
【図１１】音響出力装置が組み合わされた状態を示す斜視図である。
【図１２】音響出力装置が電子機器に取り付けられた状態を示す斜視図である。
【発明を実施するための形態】
【００２９】
以下に、本技術音響出力装置を実施するための形態を添付図面に従って説明する。
【００３０】
以下に示した実施の形態は、本技術音響出力装置をイヤホンに適用したものである。但し、本技術の適用範囲はイヤホンに限られることはなく、ヘッドホン等の他の各種の音響出力装置に広く適用することができる。
【００３１】
＜耳の構造＞
先ず、音響出力装置が装着される耳の構造について説明する（図１及び図２参照）。
【００３２】
耳１００、１００は頭部２００の一部とされており、それぞれ耳介１０１と頭部２００の内部に存在する鼓膜や三半規管や蝸牛等の各部とから成る。頭部２００のうち耳介１０１の内側の部分はそれぞれ側頭部２０１、２０１であり、耳介１０１は側頭部２０１、２０１から左方又は右方に突出されている。
【００３３】
耳介１０１は内側空間１５０を有するように全体として略前方に開口された浅い凹状にされ、外周部が耳輪１０２と称される部分と耳輪１０２に連続され側頭部２０１の近傍に位置された耳輪脚１０３と称される部分とを有している。
【００３４】
耳輪１０２の内側の部分は凹状の舟状窩１０４と称され、舟状窩１０４の内側における下側略半分の部分は凸状の対耳輪１０５と称される。対耳輪１０５の上方には対耳輪１０５に連続して二股状の凸状の部分が存在し、この二股状の部分のうちの外側の部分と内側の部分がそれぞれ対耳輪上脚１０６と対耳輪下脚１０７と称される。対耳輪上脚１０６と対耳輪下脚１０７の間の部分は凹状の三角窩１０８と称され、対耳輪１０５及び対耳輪下脚１０７の内側の部分は凹状の耳甲介艇１０９と称される。
【００３５】
対耳輪１０５の下側に連続する部分は側頭部２０１側に稍膨出され、対耳珠１１０と称される部分である。対耳珠１１０に対向する側頭部２０１側の部分は対耳珠１１０側に稍膨出された耳珠１１１と称され、耳輪１０２の下側に連続する下端部が耳垂１１２と称される。
【００３６】
対耳珠１１０と耳珠１１１の間の部分には外耳道１１３の入口である外耳孔１１３ａが存在し、外耳道１１３は鼓膜や三半規管等に連通されている。耳介１０１の内側空間１５０のうち、対耳輪１０５と対耳輪下脚１０７と耳輪脚１０３によって囲まれた空間、即ち、耳甲介艇１０９の前側の空間は耳甲介腔１１４と称され、外耳道１１３の外耳孔１１３ａに連通されている。内側空間１５０のうち耳甲介腔１１４の下側に連続しＵ字状に開いた空間は珠間切痕１１５と称される空間である。
【００３７】
耳介１０１の内側空間１５０は耳甲介腔１１４と珠間切痕１１５と外耳道１１３の外耳孔１１３ａ付近の空間とを含み、舟状窩１０４、対耳輪１０５、対耳輪上脚１０６、対耳輪下脚１０７、三角窩１０８、対耳珠１１０及び耳珠１１１の前側の空間をも含む空間である。
【００３８】
＜音響出力装置の概略構成＞
次に、音響出力装置１、１の構成について説明する（図３乃至図６参照）。音響出力装置１、１は一方が左の耳１００用として使用され他方が右の耳１００用として使用される。但し、何れか一方の音響出力装置１を使用して音声の聞き取りを行ってもよい。
【００３９】
音響出力装置１は装着部２とスピーカー３を有している。
【００４０】
装着部２は筐体４と着脱体５と接続部材６が結合されて構成されている。
【００４１】
装着部２は長手方向が周方向になるように屈曲された形状に形成され、全体として周方向に延びる形状に形成されている。装着部２は外面が外方に凸の曲面に形成されている。装着部２は長手方向における一端部がスピーカー配置部７として設けられ、長手方向における他端部が音声出力部８として設けられ、スピーカー配置部７と音声出力部８の間の部分が中間部９として設けられている。
【００４２】
筐体４は、例えば、樹脂材料によって形成され、一部がスピーカー配置部７として機能し他の部分が中間部９として機能する。筐体４は第１の部材１０と第２の部材１１が結合されて構成されている（図４乃至図６参照）。第１の部材１０と第２の部材１１は、長手方向に直交する方向において結合されることにより筐体４を構成する。
【００４３】
第１の部材１０は略円弧状に形成されたベース部１２とベース部１２の長手方向における一端に連続された配置部１３とベース部１２の長手方向における他端に連続された連結部１４とから成る。ベース部１２には長手方向に延びる溝部１２ａが形成されている。配置部１３には溝部１２ａに連続して配置凹部１３ａが形成されている。連結部１４は円筒状に形成され、内部空間が溝部１２ａに連続された音声用孔１４ａとして形成されている。
【００４４】
配置部１３の外面側には浅い取付凹部１３ｂが形成されている。配置部１３には取付凹部１３ｂと配置凹部１３ａに連通されたコード挿入孔１３ｃが形成されている。
【００４５】
第２の部材１１は略円弧状に形成されたベース部１５とベース部１５の長手方向における一端に連続された配置部１６とから成る。ベース部１５には長手方向に延びる溝部１５ａが形成されている。配置部１６には溝部１５ａに連続して配置凹部１６ａが形成されている。
【００４６】
第１の部材１０と第２の部材１１は、例えば、接着によってベース部１２とベース部１５が結合されると共に配置部１３と配置部１６が結合される。第１の部材１０と第２の部材１１が結合された状態においては、溝部１２ａと溝部１５ａによって音導空間１７が形成され、配置凹部１３ａと配置凹部１６ａによって配置空間１８が形成される。
【００４７】
第１の部材１０と第２の部材１１が結合されて筐体４が構成された状態において、配置空間１８にスピーカー３が配置される。スピーカー３としては、例えば、ダイナミック型のドライバーユニットが用いられている。尚、配置空間１８にはスピーカー３の他に、スピーカー３に電力を供給するための電池（バッテリー）やスピーカー３を制御する制御基板等が配置されてもよい。
【００４８】
着脱体５は、例えば、シリコンやゴム材料によって形成され、内部に音声用孔１９が形成されている（図６参照）。音声用孔１９は一端が音声出力用の開口１９ａとして形成されている。着脱体５は音声用孔１９の延びる方向が長手方向にされ、長手方向における略半分の部分が結合部２０として設けられ、他の略半分の部分が先端部２１として設けられている。結合部２０は中間部９の一部として機能し、先端部２１は音声出力部８として機能する。
【００４９】
着脱体５は結合部２０の内周部が外嵌部２０ａとして設けられ、外嵌部２０ａが着脱体５の他の部分より硬度の高い材料によって形成されている。着脱体５は筐体４に着脱可能にされ、外嵌部２０ａが連結部１４に外嵌されることにより筐体４に連結される。
【００５０】
装着部２は筐体４のスピーカー配置部７と着脱体５の先端部２１とが対向した状態に構成されており、スピーカー配置部７の先端部２１に対向する部分が第１の押当部２２として設けられ、先端部２１のスピーカー配置部７に対向する部分が第２の押当部２３として設けられ、第１の押当部２２と第２の押当部２３の間には隙間Ａが形成されている。第１の押当部２２と第２の押当部２３は音響出力装置１が耳１００に装着された状態においてそれぞれ耳介１０１の両面に押し当てられる部分である。第１の押当部２２と第２の押当部２３の表面は外方に凸の緩やかな曲面に形成されている。
【００５１】
また、装着部２は長手方向における両端部以外の部分が中間部９として設けられ、長手方向における一端間の距離Ａが中間部９の内周における２点を結ぶ距離のうちの最大の距離Ｈより小さくされている。
【００５２】
装着部２は第１の押当部２２と第２の押当部２３が互いに離接する方向へ弾性変形可能にされている。
【００５３】
接続部材６は被取付板部２４と被取付板部２４から突出されたコード挿通部２５とから成る（図３乃至図５参照）。接続部材６にはコード挿通部２５と被取付板部２４の間で貫通されたコード挿通孔６ａが形成されている。接続部材６は被取付板部２４が取付凹部１３ｂに挿入された状態で筐体４に接着等により取り付けられる。接続部材６が筐体４に取り付けられた状態においては、コード挿通孔６ａがコード挿入孔１３ｃに連通される。
【００５４】
筐体４には連結部１４を除いた部分がカバー２６によって覆われ、カバー２６は筐体４の外面に密着される。カバー２６は弾性変形可能なシリコンやゴム材料によって形成され、厚みが薄くされ袋状に形成されている。カバー２６の一端面には開口部２６ａが形成されている。カバー２６には配置孔２６ｂが形成されている。
【００５５】
カバー２６によって筐体４が覆われた状態においては、カバー２６が筐体４の外面に密着され、開口部２６ａが連結部１４とベース部１２の境界部分に位置され、配置孔２６ｂに接続部材６が配置された状態にされる。従って、筐体４は連結部１４が開口部２６ａから突出され、接続部材６はコード挿通部２５が配置孔２６ｂから突出された状態にされる。
【００５６】
上記のように、装着部２は少なくとも第１の部材１０と第２の部材１１の複数の部材が結合されて構成され、外面にカバー２６が密着された状態で覆われている。
【００５７】
従って、装着部２が外側からカバー２６に覆われるため、第１の部材１０と第２の部材１１の間に隙間が生じていても隙間がカバー２６によって閉塞され、スピーカー３から出力される音声の外部への漏れを防止することができる。
【００５８】
また、第１の部材１０と第２の部材１１は接着によって結合されるため、接着剤が筐体４の外面側にはみ出す可能性があるが、接着剤がはみ出した場合においても、はみ出した接着剤がカバー２６によって閉塞され、接着剤のはみ出しを防止する構造を筐体４に形成する必要がなく、製造コストの低減及び接着作業における作業性の向上を図ることができる。
【００５９】
さらに、接着剤のはみ出しを防止する手段としては、例えば、筐体４の厚みの範囲に接着剤の漏出を防止する立壁や溝等を形成する手段があるが、カバー２６により立壁や溝等を形成する必要がないため、その分、筐体４の厚みを薄くすることが可能である。従って、筐体４の内部に形成される音声を導くための空間の径を大きくすることが可能になり、音声の良好な出力状態を確保することができる。
【００６０】
接続部材６のコード挿通孔６ａと筐体４のコード挿入孔１３ｃにはコード２７が挿入され、コード２７の一端部が制御基板又はスピーカー３に接続される。コード２７の中間部分には、例えば、図示しないリモコン装置が接続されており、リモコン装置の操作によってスピーカー３から出力される音声の種類の変更や音量の変更等を行うことが可能にされている。
【００６１】
尚、左の耳１００用の音響出力装置１から導出されたコード２７と右の耳１００用の音響出力装置１から導出されたコード２７とは、何れも中間部分が同一のリモコン装置に接続されている。
【００６２】
コード２７の他端部は音声（音声信号）の発生源として用いられる音楽プレーヤー等の図示しない外部機器に接続される。従って、外部機器から出力される音声信号がコード２７を介してスピーカー３に伝達され、スピーカー３から音声の出力が行われる。また、コード２７を介して外部機器からスピーカー３に電力が供給され、スピーカー３の駆動が可能とされている。
【００６３】
＜音響出力装置の耳に対する装着状態＞
以下に、音響出力装置１の耳１００に対する装着状態について説明する（図７乃至図１０参照）。
【００６４】
音響出力装置１は、一部を除いた部分がカバー２６によって覆われた状態で装着部２が耳介１０１の外周部、例えば、耳輪１０２を前後から挟んだ状態で耳１００に装着される（図７及び図８参照）。
【００６５】
音響出力装置１が耳１００に装着されるときに、耳輪１０２は、第１の押当部２２と第２の押当部２３が離隔する方向へ弾性変形された状態（図９参照）で第１の押当部２２と第２の押当部２３の間に相対的に挿入され、耳輪１０２が挿入された状態において音響出力装置１が弾性復帰されて耳１００に装着される（図１０参照）。音響出力装置１が耳１００に装着された状態においては、装着部２の第１の押当部２２と第２の押当部２３がそれぞれ耳介１０１の両面に接して押し当てられた状態にされる。
【００６６】
尚、第１の押当部２２はカバー２６によって覆われているため、装着部２は第１の押当部２２がカバー２６を介して耳介１０１に押し当てられて接した状態にされる。
【００６７】
第１の押当部２２は耳介１０１の後面に接し第２の押当部２３は耳介１０１の前面に接した状態にされる。従って、スピーカー配置部７に配置されたスピーカー３は耳介１０１の後側に位置される。
【００６８】
このとき第１の押当部２２と第２の押当部２３の表面が外方に凸の曲面に形成されているため、曲面が押し当てられた状態で音響出力装置１が耳１００に装着されるため、耳介１０１に音響出力装置１から過度の負荷が付与されず、耳１００に対する音響出力装置１の良好な装着状態を確保することができる。
【００６９】
尚、上記には、第１の押当部２２と第２の押当部２３の表面が曲面に形成された例を示したが、第１の押当部２２と第２の押当部２３の表面の少なくとも一方が平面に形成されていてもよい。
【００７０】
音響出力装置１は、上記のように耳１００に装着されるが、特に、音響出力装置１の一部を側頭部２０１と耳介１０１の境界部分である耳介１０１の根元部分に引掛けて装着する必要がないため、女性等の長髪の使用者において毛髪が音響出力装置１と干渉することがなく、使用者の毛髪の長さに拘わらず安定した装着状態を確保することができる。
【００７１】
また、ピアス等のアクセサリーを耳１００に装着している場合においても、アクセサリーの装着部分、例えば、耳垂１１２以外の位置に音響出力装置１を装着することができ、使い勝手の向上を図った上で安定した装着状態を確保することができる。
【００７２】
尚、上記には、装着部２の各一部が耳介１０１の外周部を挟んだ状態で音響出力装置１が耳１００に装着される例を示したが、装着部２の各一部が耳介１０１の外周部以外の部分を挟んだ状態で音響出力装置１が耳１００に装着されてもよい。
【００７３】
一方、音響出力装置１の耳１００からの取り外しは、第１の押当部２２と第２の押当部２３が離隔する方向へ音響出力装置１を弾性変形させ音響出力装置１を耳介１０１から離隔させることにより行うことができる。
【００７４】
上記したように、装着部２は長手方向が周方向になるように屈曲された形状に形成され、長手方向における両端間に隙間Ａが形成され、装着部２は長手方向における両端部が互いに離接する方向へ弾性変形可能にされている。
【００７５】
従って、耳１００に対する装着時及び取外時に装着部２が弾性変形されるため、耳に対する装着及び取外を容易に行うことができると共に耳に対する安定した装着状態を確保することができる。
【００７６】
また、音響出力装置１にあっては、装着部２の両端部にそれぞれ第１の押当部２２と第２の押当部２３が設けられているため、装着部２の両端部がそれぞれ耳介１０１の両面に押し当てられる。
【００７７】
従って、耳介１０１に押し当てられる部分が装着部２の両端部になり、第１の押当部２２から第２の押当部２３までの長さが音響出力装置１の全長になり、音響出力装置１の小型化を確保した上で耳１００に対する安定した装着状態を確保することができる。
【００７８】
さらに、装着部２における両端部以外の部分が中間部９として設けられ、長手方向における一端間の距離Ａが中間部９の内周における２点を結ぶ距離のうちの最大の距離Ｈより小さくされている。
【００７９】
従って、音響出力装置１が耳１００に装着された状態において中間部９が耳介１０１に接触し難く、耳１００に対して中間部９からの負荷を生じることなく音響出力装置１を耳１００に装着することができる。
【００８０】
さらにまた、装着部２の外面が曲面に形成されているため、音響出力装置１は曲面が押し当てられた状態で耳１００に装着されるため、耳１００に対する良好な装着状態を確保することができる。
【００８１】
上記のように音響出力装置１が耳１００に装着された状態において、着脱体５は先端部が耳介１０１に非接触の状態で耳介１０１の内側空間１５０に位置される。着脱体５は外耳孔１１３ａの全体を塞がない状態にされ、開口１９ａが外耳孔１１３ａ付近に位置される。
【００８２】
このように音響出力装置１が耳１００に装着された状態において、装着部２の開口１９ａが耳介１０１の内側空間１５０に位置されるため、開口１９ａが外耳道１１３に近付いて位置され、スピーカー３から出力される音声と外部の音声との良好な認識性を確保することができる。
【００８３】
また、音響出力装置１は耳１００に装着された状態において装着部２の開口１９ａを有する部分が耳１００に非接触の状態とされるため、音声が発せられる開口１９ａを有する部分が耳１００に接触されない状態になる。
【００８４】
従って、音響出力装置１から出力される音声と外部の音声との良好な認識性を確保することができると共に耳１００に対する装着状態における違和感の発生を低減することができる。
【００８５】
さらに、音響出力装置１が耳１００に装着された状態において、開口１９ａが外耳孔１１３ａ付近に位置されるため、装着部２を導かれた音声が開口１９ａから外耳道１１３へ向けて発せられ、音声を良好に聞き取ることができる。
【００８６】
尚、音響出力装置１が耳１００に装着された状態において、装着部２の開口１９ａが耳甲介腔１１４に位置されていてもよい。
【００８７】
この場合にも装着部２の開口１９ａが外耳道１１３に近付いて位置されるため、スピーカー３から出力される音声と外部の音声との良好な認識性を確保することができる。
【００８８】
また、着脱体５の開口１９ａは外耳道１１３又は耳甲介腔１１４に位置されていなくてもよく、耳介１０１の内側空間１５０に位置されていれば外耳道１１３及び耳甲介腔１１４から離れて位置されていてもよい。
【００８９】
尚、使用者の耳１００の形状や大きさによっては、着脱体５の開口１９ａが耳介１０１の内側空間１５０の外側に位置されていてもよい。
【００９０】
また、音響出力装置１が耳１００に装着された状態において、耳介１０１の前側に装着部２の内部に配置されたスピーカー３等の構造物が存在しないため、耳介１０１の前側に存在する構造物が小さく、頭部伝達関数への影響が抑制されて空間知覚能力の低下を抑制することができる。
【００９１】
さらに、開口１９ａを有する着脱体５は、筐体４の連結部１４に対して着脱可能にされている。従って、着脱体５を耳１００の大きさや形状等に応じて取り替えることが可能になり、耳１００の大きさや形状等に拘わらず音声の良好な聞取状態を確保することができる。
【００９２】
例えば、着脱体５を長さの異なるものに取り替えることにより、音響出力装置１が耳１００に装着された状態において開口１９ａを所望の位置に位置させることが可能になり、音響出力装置１の使い勝手の向上を図ることができる。
【００９３】
さらに、音響出力装置１には着脱体５の連結時に着脱体５に挿入される連結部１４が設けられているため、連結部１４が着脱体５に挿入されることにより着脱体５が連結部１４に連結され、着脱体５の連結部１４に対する連結作業を迅速かつ容易に行うことができる。
【００９４】
さらにまた、装着部２にカバー２６が取り付けられることにより、カバー２６の厚み分によりカバー２６と第２の押当部２３の間の隙間が隙間Ａより小さくなり、音響出力装置１が装着された状態において耳介１０１が第１の押当部２２と第２の押当部２３によって十分な圧力で挟まれ、音響出力装置１の耳１００への安定した装着状態を確保することができる。
【００９５】
加えて、連結部１４に外嵌される着脱体５の外嵌部２０ａは着脱体５の他の部分より硬度の高い材料によって形成されている。従って、音響出力装置１が耳１００に対する装着時及び取外時に弾性変形又は弾性復帰されたときに、着脱体５の結合部２０が連結部１４に対して変形し難いため、着脱体５の筐体４からの脱落を防止することができる。
【００９６】
また、外嵌部２０ａが着脱体５の他の部分より硬度の高い材料によって形成されていることにより、結合部２０が変形し難く、着脱体５の筐体４に対する捲れを防止することもできる。
【００９７】
尚、着脱体５は変形（屈曲）可能であり変形された状態が保持される材料（フレキシブルナ材料）によって形成されていてもよい。着脱体５がこのような材料によって形成されることにより、音響出力装置１が耳１００に装着された状態において、着脱体５を所望の状態に変形させて、例えば、開口１９ａを外耳道１１３に近付けたりすることや、開口１９ａから発せられる音声の向きを必要に応じて変更することが可能になる。
【００９８】
また、連結部１４と着脱体５の双方が変形（屈曲）可能であり変形された状態が保持される材料によって形成されていてもよい。連結部１４と着脱体５がこのような材料によって形成されることにより、音響出力装置１が耳１００に装着された状態において、装着部２を所望の状態に変形させて、例えば、開口１９ａを外耳道１１３に近付けたりすることや、開口１９ａから発せられる音声の向きを必要に応じて変更することが可能になる。
【００９９】
さらに、装着部２の耳１００への装着時に耳１００の形や大きさに応じて装着部２を変形することが可能になるため、音響出力装置１の耳１００への安定した装着状態を確保することができる。
【０１００】
さらにまた、一対の音響出力装置１、１を使用する場合には、音響出力装置１、１がステレオタイプとして機能し、音響出力装置１、１の機能性の向上が図られ良質の音声を聞き取ることができる。また、左右の耳１００、１００に対して重量的に良好なバランスが確保され、音響出力装置１、１を安定した状態で左右の耳１００、１００に装着することができる。
【０１０１】
尚、上記にはスピーカー３が装着部２の長手方向における一端部に設けられたスピーカー配置部７に配置された例を示したが、スピーカー３は装着部２の長手方向における他端部又は他端部よりの位置に配置されてもよい。
【０１０２】
＜音響出力装置の組み合わせ状態等＞
以下に、音響出力装置１、１の組み合わせ状態等について説明する（図１１及び図１２参照）。
【０１０３】
音響出力装置１、１にあっては、両者を組み合わせて保持される状態にすることが可能である（図１１参照）。
【０１０４】
音響出力装置１、１の組み合わせは、両者を向き合わせた状態でスピーカー配置部７、７と音声出力部８、８の位置関係を直交する位置にし、少なくとも一方を他方に近付けていくことにより行うことができる。音響出力装置１、１が組み合わせられるときには、音響出力装置１、１において互いにスピーカー配置部７と音声出力部８の間にスピーカー配置部７と音声出力部８が挿入されていく。
【０１０５】
このとき音響出力装置１、１において互いにスピーカー配置部７、７と音声出力部８、８が離隔する方向へ弾性変形され、互いにスピーカー配置部７、７と音声出力部８、８がスピーカー配置部７、７と音声出力部８、８を乗り越えることにより弾性復帰される。互いにスピーカー配置部７と音声出力部８の間にスピーカー配置部７と音声出力部８が挿入されていくときには、装着部２、２の外面同士（装着部２の外面とカバー２６の外面）が摺接されるが、音響出力装置１、１においては装着部２、２の外面が外方に凸の曲面に形成されているため、互いのスピーカー配置部７と音声出力部８の挿入を円滑に行うことができる。
【０１０６】
音響出力装置１、１が組み合わされた状態においては、互いにスピーカー配置部７、７と音声出力部８、８が中間部９、９の内側に位置され、音響出力装置１、１が離れ難い状態にされている。
【０１０７】
一方、音響出力装置１、１の組み合わせを解除するときには、両者を引き離す方向へ動かし弾性変形させた後に弾性復帰させることにより行うことができる。
【０１０８】
このように、音響出力装置１にあっては、装着部２、２が組み合わせ可能にされているため、不使用時に一対の装着部２、２を組み合わせた状態にして携帯又は保管することができ、携帯時及び保管時に、耳に装着される部分である装着部２、２とコード２７及びコード２７同士の絡まりを防止して使い勝手の向上を図ることができる。
【０１０９】
また、装着部２は長手方向における一端部であるスピーカー配置部７の最大の太さと長手方向における他端部である音声出力部８の最大の太さとが中間部９の最大の太さより太くされている。
【０１１０】
従って、装着部２、２を組み合わせた状態において両端部であるスピーカー配置部７、７と音声出力部８、８を中間部９、９の内側に挿入した状態で位置させることが可能になり、組み合わせた状態において外れ難く、装着部２、２を安定した状態で組み合わせることができる。
【０１１１】
一方、音響出力装置１、１は両者の組み合わせ以外に、他の構造物や機器等に取り付けて保管等を行うことも可能である（図１２参照）。
【０１１２】
例えば、携帯電話等の電子機器５０において音響出力装置１を使用する場合等に、電子機器５０の外周部５１をスピーカー配置部７と音声出力部８の間に挿入し、外周部５１を両面側からスピーカー配置部７と音声出力部８によって挟持した状態で音響出力装置１を電子機器５０に取り付けて保管等を行うことが可能である。外周部５１を両面側からスピーカー配置部７と音声出力部８によって挟持した状態においては、弾性力によって音響出力装置１にスピーカー配置部７と音声出力部８が互いに近付く方向への付勢力が付与されており、振動等によって音響出力装置１が電子機器５０から脱落し難い状態にされている。
【０１１３】
このような使用（保管）は、例えば、一時的に音楽の聴き取りを停止し音響出力装置１を耳１００から取り外すとき等においても行うことができる。
【０１１４】
上記のように、音響出力装置１は、例えば、携帯電話等の電子機器５０の外周部５１を挟持した状態で外周部５１に取り付けることが可能にされているため、携帯や保管等が容易であり、使い勝手の向上を図ることができる。
【０１１５】
また、携帯時及び保管時に、耳１００に装着される部分である装着部２とコード２７及びコード２７同士の絡まりを防止して使い勝手の向上を図ることができる。
【０１１６】
＜その例＞
尚、音響出力装置１、１にあっては、左の耳１００用の音響出力装置１と右の耳１００用の音響出力装置１の内部構成が同様の構成にされていてもよく、また、左の耳１００用の音響出力装置１と右の耳１００用の音響出力装置１の内部構成が異なる構成にされていてもよい。
【０１１７】
例えば、一方の音響出力装置１における装着部２の内部にスピーカー３と図示しない電池と図示しない中継基板が配置され、他方の音響出力装置１における装着部２の内部にスピーカー３と図示しない制御基板が配置されていてもよい。
【０１１８】
一方の音響出力装置１の中継基板と他方の音響出力装置１の制御基板とはコード２７によって接続されている。電池の電力は一方の音響出力装置１のスピーカー３と中継基板に供給され、中継基板からコード２７を介して他方の音響出力装置１の制御基板とスピーカー３にも供給される。また、制御基板における通信用回路の無線通信によって受信した音声信号が、一方の音響出力装置１のスピーカー３に送信されると共にコード２７及び中継基板を介して他方の音響出力装置１のスピーカー３に送信される。受信した音声信号は音声に変換されてそれぞれスピーカー３、３から出力される。
【０１１９】
上記のように、音響出力装置１、１にあっては、無線通信により音声信号の受信が行われる構成にすることが可能であるため、利便性及び使い勝手の向上を図ることができる。
【０１２０】
尚、音響出力装置１においては、無線通信によって音楽プレーヤー等の外部機器からの音声信号を受信し、受信した音声信号を変換してスピーカー３から音声として出力することや、音楽プレーヤーとの接続認証等のペアリング処理が可能とされていてもよい。音声信号を受信するための無線通信としては、例えば、ブルートゥース（Bluetooth）（登録商標）やＷiＦi（Wireless Fidelity）、接続認証等のペアリング処理用の無線通信としてのＮＦＣ（Near Field Communication）等の近距離無線通信に対応したものであってもよい。
【０１２１】
また、音響出力装置１、１にあっては、一方の音響出力装置１にのみ電池が配置されているため、音響出力装置１、１の全体として軽量化を図ることができると共に内部構造の簡素化を図ることができる。
【０１２２】
さらに、音響出力装置１においては、上記のように軽量化が図られるため、耳１００に装着された状態において耳１００に過度の負荷が付与されず、耳１００への違和感のない良好な装着状態を確保することができる。
【０１２３】
尚、装着部２の内部に配置される電池は使い捨てタイプであってもよく充電可能なタイプであってもよい。特に、電池が使い捨てタイプである場合には、装着部２の一部が開閉可能とされ、電池の交換が可能な構成にされていることが望ましい。また、電池が充電可能なタイプである場合にも装着部２の一部が開閉可能とされ、電池の交換が可能とされていてもよい。
【０１２４】
＜本技術＞
本技術は、以下のような構成にすることができる。
【０１２５】
（１）
耳介の両面にそれぞれ押し当てられる第１の押当部と第２の押当部を有し前記耳介を挟んだ状態で耳に装着される装着部を備え、
前記装着部が一対設けられ、
前記一対の装着部が組み合わせ可能にされた
音響出力装置。
【０１２６】
（２）
前記装着部は長手方向が周方向になるように屈曲された形状に形成され、
前記長手方向における両端間に隙間が形成され、
前記装着部は前記長手方向における両端部が互いに離接する方向へ弾性変形可能にされた
前記（１）に記載の音響出力装置。
【０１２７】
（３）
前記装着部の前記両端部にそれぞれ前記第１の押当部と前記第２の押当部が設けられた
前記（２）に記載の音響出力装置。
【０１２８】
（４）
前記装着部における前記両端部以外の部分が中間部として設けられ、
前記長手方向における一端間の距離が前記中間部の内周における２点を結ぶ距離のうちの最大の距離より小さくされた
前記（２）又は前記（３）に記載の音響出力装置。
【０１２９】
（５）
前記第１の押当部と前記第２の押当部の表面が外方に凸の曲面に形成された
前記（１）から前記（４）の何れかに記載の音響出力装置。
【０１３０】
（６）
前記装着部における前記両端部以外の部分が中間部として設けられ、
前記長手方向における一端部の最大の太さと前記長手方向における他端部の最大の太さとが前記中間部の最大の太さより太くされた
前記（２）から前記（５）の何れかに記載の音響出力装置。
【０１３１】
（７）
前記装着部は複数の部材が結合されて構成され、
前記装着部は外面にカバーが密着された状態で覆われた
前記（１）から前記（６）の何れかに記載の音響出力装置。
【０１３２】
（８）
前記装着部の外面が曲面に形成された
前記（１）から前記（７）の何れかに記載の音響出力装置。
【符号の説明】
【０１３３】
１００…耳、１０１…耳介、１…音響出力装置、２…装着部、３…スピーカー、４…筐体、９…中間部、２２…第１の押当部、２３…第２の押当部、２６…カバー
【図１】
2018139088.tif 000003
【図２】
2018139088.tif 000004
【図３】
2018139088.tif 000005
【図４】
2018139088.tif 000006
【図５】
2018139088.tif 000007
【図６】
2018139088.tif 000008
【図７】
2018139088.tif 000009
【図８】
2018139088.tif 000010
【図９】
2018139088.tif 000011
【図１０】
2018139088.tif 000012
【図１１】
2018139088.tif 000013
【図１２】
2018139088.tif 000014
【国際調査報告】
2018139088.tif 000015
2018139088.tif 000016
2018139088.tif 000017
2018139088.tif 000018